(57)【要約】      （修正有）【課題】容器から液状の内容物を排出させる時に生じるスロッシングを除去し、所望の量だけの定量排出が可能な栓およびその栓を備えた容器を提供する。【解決手段】排出孔が形成された上面部、および上面部の外郭から下方に延設された側面部１１を含む外キャップ１０と、筒形状の胴体部２１および突出部２３を含み、前記外キャップに結合される内キャップ２０とを含み、前記突出部は、前記胴体部の下端部端から上側に中心に向かって延設される傾斜面と、前記傾斜面の周りに形成された複数の出入孔とを含む栓およびその栓を備えた。容器から液状の内容物を排出させる時に生じるスロッシングを除去し、所望の量だけの定量排出が可能な栓およびその栓を備えた容器を提供することができる。【選択図】図１
0003184024.tif 000002
【実用新案登録請求の範囲】
【請求項１】
排出孔が形成された上面部、および上面部の外郭から下方に延設された側面部を含む外キャップと、
筒形状の胴体部および突出部を含み、前記外キャップに結合される内キャップとを含み、
前記突出部は、
前記胴体部の下端部端から上側に中心に向かって延設される傾斜面と、
前記傾斜面の周りに形成された複数の出入孔とを含むことを特徴とする栓。
【請求項２】
前記外キャップは、
前記側面部の内側面から突設される第１係止顎をさらに含み、
前記内キャップは、
前記胴体部から外側方向に延設され、前記第１係止顎に係合される結合部をさらに含むことを特徴とする請求項１に記載の栓。
【請求項３】
前記結合部は、
下面が上面より外側方向にさらに突出しており、前記上面と前記下面とが曲面によって連結されることを特徴とする請求項２に記載の栓。
【請求項４】
前記外キャップは、
前記上面部の下面から下方に延設される外キャップスカートをさらに含むことを特徴とする請求項１に記載の栓。
【請求項５】
前記内キャップは、
前記胴体部の上面に形成され、内側面に前記外キャップスカートが密着する漏液防止段差部をさらに含むことを特徴とする請求項４に記載の栓。
【請求項６】
前記内キャップは、
前記結合部の下面から下方に延設される内キャップスカートをさらに含むことを特徴とする請求項２に記載の栓。
【請求項７】
前記外キャップは、
前記側面部の内側面から突設され、前記第１係止顎の下側に形成される第２係止顎をさらに含むことを特徴とする請求項２に記載の栓。
【請求項８】
前記外キャップは、
前記上面部に連結されて前記排出孔を閉鎖する密封部材、および前記密封部材の上面に形成される取り外し用つまみを備える切りキャップと、
前記密封部材と前記上面部との連結部位に形成される切り溝とをさらに含むことを特徴とする請求項１に記載の栓。
【請求項９】
前記外キャップの上部に結合される蓋と、
前記蓋と前記外キャップとを連結し、回動可能なヒンジ部とをさらに含むことを特徴とする請求項１に記載の栓。
【請求項１０】
開口部が形成された容器本体、および前記開口部に結合される栓を含む容器において、
前記栓は、
排出孔が形成された上面部、上面部の外郭から下方に延設された側面部、前記側面部の内側面から突設される第１係止顎、および前記側面部の内側面から突設され、前記第１係止顎の下側に形成される第２係止顎を含む外キャップと、
筒形状の胴体部、前記胴体部の下端部端から上側に中心に向かって延設される傾斜面と前記傾斜面の周りに形成された複数の出入孔とを備える突出部、および前記胴体部から外側方向に延設され、前記第１係止顎に係合される結合部を含む内キャップとを含み、
前記容器本体は、
開口部の外側面から突設され、前記第２係止顎に係合される突起部を含むことを特徴とする容器。
【請求項１１】
前記内キャップは、
前記結合部の下面から下方に延設され、前記開口部の内側面に密着する内キャップスカートをさらに含むことを特徴とする請求項１０に記載の容器。
【請求項１２】
前記結合部は、
下面が上面より外側方向にさらに突出しており、前記上面と前記下面とが曲面によって連結されることを特徴とする請求項１０に記載の容器。
【請求項１３】
前記外キャップは、
前記上面部の下面から下方に延設される外キャップスカートをさらに含むことを特徴とする請求項１０に記載の容器。
【請求項１４】
前記内キャップは、
前記胴体部の上面に形成され、内側面に前記外キャップスカートが密着する漏液防止段差部をさらに含むことを特徴とする請求項１３に記載の容器。
【請求項１５】
前記外キャップは、
前記上面部に連結されて前記排出孔を閉鎖する密封部材、および前記密封部材の上面に形成される取り外し用つまみを備える切りキャップと、
前記密封部材と前記上面部との連結部位に形成される切り溝とをさらに含むことを特徴とする請求項１０に記載の容器。
【請求項１６】
前記外キャップの上部に結合される蓋と、
前記蓋と前記外キャップとを連結し、回動可能なヒンジ部とをさらに含むことを特徴とする請求項１０に記載の容器。
【考案の詳細な説明】
【技術分野】
【０００１】
本考案は、栓およびその栓を備えた容器に関し、より詳細には、容器から液状の内容物を排出させる時に生じるスロッシングを除去し、所望の量だけの定量排出が可能な栓およびその栓を備えた容器に関する。
【背景技術】
【０００２】
一般的に、ゴマ油や食用油などのような液状の内容物を保存するようにした容器の開口部には栓が設けられる。
【０００３】
このような栓には、容器の内部に入った液状の内容物を排出するための１つの排出孔が形成されており、使用者によって容器が傾けられることにより、液状の内容物が前記排出孔を介して外部に排出される。
【０００４】
この時、外部と容器内部との圧力差によって外部空気が容器の内部に流入し、これにより、スロッシング現象が発生してしまう。
【０００５】
このように、１つの排出孔を介して内容物の排出と外部空気の流入が繰り返し行われることによりスロッシング現象が生じ、これにより、内容物の排出が迅速にできないだけでなく、空気の流入によって容器の内部で気泡が発生し、内容物を定量的に注ぐのに困難があった。
【考案の概要】
【考案が解決しようとする課題】
【０００６】
上述した問題を解決するためになされた本考案の目的は、容器から液状の内容物を排出させる時に生じるスロッシングを除去し、所望の量だけの定量排出が可能な栓およびその栓を備えた容器を提供するためのものである。
【０００７】
また、本考案の他の目的は、外キャップと内キャップとの円滑な組立が可能であり、液状の内容物が漏液することを防止する栓およびその栓を備えた容器を提供するためのものである。
【課題を解決するための手段】
【０００８】
上記の目的を達成するための本考案の特徴によれば、本考案の栓は、排出孔が形成された上面部、および上面部の外郭から下方に延設された側面部を含む外キャップと、筒形状の胴体部および突出部を含み、前記外キャップに結合される内キャップとを含み、前記突出部は、前記胴体部の下端部端から上側に中心に向かって延設される傾斜面と、前記傾斜面の周りに形成された複数の出入孔とを含む。
【０００９】
また、前記外キャップは、前記側面部の内側面から突設される第１係止顎をさらに含み、前記内キャップは、前記胴体部から外側方向に延設され、前記第１係止顎に係合される結合部をさらに含む。
【００１０】
また、前記結合部は、下面が上面より外側方向にさらに突出しており、前記上面と前記下面とが曲面によって連結されることを特徴とする。
【００１１】
また、前記外キャップは、前記上面部の下面から下方に延設される外キャップスカートをさらに含む。
【００１２】
また、前記内キャップは、前記胴体部の上面に形成され、内側面に前記外キャップスカートが密着する漏液防止段差部をさらに含む。
【００１３】
さらに、前記内キャップは、前記結合部の下面から下方に延設される内キャップスカートをさらに含む。
【００１４】
また、前記外キャップは、前記側面部の内側面から突設され、前記第１係止顎の下側に形成される第２係止顎をさらに含む。
【００１５】
さらに、前記外キャップは、前記上面部に連結されて前記排出孔を閉鎖する密封部材、および前記密封部材の上面に形成される取り外し用つまみを備える切りキャップと、前記密封部材と前記上面部との連結部位に形成される切り溝とをさらに含む。
【００１６】
また、本考案の栓は、前記外キャップの上部に結合される蓋と、前記蓋と前記外キャップとを連結し、回動可能なヒンジ部とをさらに含む。
【００１７】
本考案の容器は、開口部が形成された容器本体、および前記開口部に結合される栓を含む容器において、前記栓は、排出孔が形成された上面部、上面部の外郭から下方に延設された側面部、前記側面部の内側面から突設される第１係止顎、および前記側面部の内側面から突設され、前記第１係止顎の下側に形成される第２係止顎を含む外キャップと、筒形状の胴体部、前記胴体部の下端部端から上側に中心に向かって延設される傾斜面と前記傾斜面の周りに形成された複数の出入孔とを備える突出部、および前記胴体部から外側方向に延設され、前記第１係止顎に係合される結合部を含む内キャップとを含み、前記容器本体は、開口部の外側面から突設され、前記第２係止顎に係合される突起部を含む。
【００１８】
また、前記内キャップは、前記結合部の下面から下方に延設され、前記開口部の内側面に密着する内キャップスカートをさらに含む。
【００１９】
また、前記結合部は、下面が上面より外側方向にさらに突出しており、前記上面と前記下面とが曲面によって連結されることを特徴とする。
【００２０】
また、前記外キャップは、前記上面部の下面から下方に延設される外キャップスカートをさらに含む。
【００２１】
また、前記内キャップは、前記胴体部の上面に形成され、内側面に前記外キャップスカートが密着する漏液防止段差部をさらに含む。
【００２２】
また、前記外キャップは、前記上面部に連結されて前記排出孔を閉鎖する密封部材、および前記密封部材の上面に形成される取り外し用つまみを備える切りキャップと、前記密封部材と前記上面部との連結部位に形成される切り溝とをさらに含む。
【００２３】
また、本考案の容器は、前記外キャップの上部に結合される蓋と、前記蓋と前記外キャップとを連結し、回動可能なヒンジ部とをさらに含む。
【考案の効果】
【００２４】
以上のような本考案によれば、容器から液状の内容物を排出させる時に生じるスロッシングを除去し、所望の量だけの定量排出が可能な栓およびその栓を備えた容器を提供することができる。
【００２５】
また、本考案によれば、外キャップと内キャップとの円滑な組立が可能であり、液状の内容物が漏液することを防止する栓およびその栓を備えた容器を提供することができる。
【図面の簡単な説明】
【００２６】
【図１】本考案の好ましい実施形態にかかる栓およびその栓を備えた容器を示す分解斜視図である。
【図２Ａ】本考案の好ましい実施形態にかかる外キャップの上面図である。
【図２Ｂ】図２ＡのＡ−Ａ断面図である。
【図３Ａ】本考案の好ましい実施形態にかかる内キャップの上面図である。
【図３Ｂ】図３ＡのＢ−Ｂ断面図および要部拡大図である。
【図４】本考案の好ましい実施形態にかかる外キャップと内キャップとの結合状態を示す断面図である。
【図５】本考案の好ましい実施形態にかかる容器の結合状態を示す断面図である。
【考案を実施するための形態】
【００２７】
その他実施形態の具体的な事項は、詳細な説明および図面に含まれている。
【００２８】
本考案の利点および特徴、そして、それらを達成する方法は、添付した図面と共に詳細に後述する実施形態を参照すれば明確になるはずである。しかし、本考案は、以下に開示される実施形態に限定されるものではなく、互いに異なる多様な形態で実現可能であり、単に、本実施形態は、本考案の開示が完全になるようにし、本考案の属する技術分野における通常の知識を有する者に考案の範疇を完全に知らせるために提供されるものであり、本考案は請求項の範疇によってのみ定義される。明細書全体にわたり、同一の参照符号は同一の構成要素を称する。
【００２９】
以下、本考案の実施形態により栓およびその栓を備えた容器を説明するための図面を参考にして、本考案について説明する。
【００３０】
図１は、本考案の好ましい実施形態にかかる栓およびその栓を備えた容器を示す分解斜視図である。
【００３１】
本考案の好ましい実施形態にかかる栓は、外キャップ１０と、外キャップ１０と結合される内キャップ２０とを含み、その栓を備えた容器は、外キャップ１０および内キャップ２０に加え、容器本体３０をさらに含む。
【００３２】
図２Ａは、本考案の好ましい実施形態にかかる外キャップの上面図であり、図２Ｂは、図２ＡのＡ−Ａ断面図である。
【００３３】
図２Ａおよび図２Ｂを参照すれば、外キャップ１０は、側面部１１および上面部１２を含む。
【００３４】
上面部１２は、外キャップ１０の上面をなす部分を称するもので、上面部１２には、液状の内容物が排出されるための排出孔１３が形成される。
【００３５】
このような排出孔１３は、図２Ａに示されるように、上面部１２の中心部に形成されることが好ましく、排出孔１３は、以後、切りキャップ４０によって封じられる。
【００３６】
側面部１１は、外キャップ１０の外側面をなす部分を称するもので、上面部１２の外郭から下方に延設される。
【００３７】
外キャップ１０と結合する開口部３１の形状は、円形であることが一般的であるため、側面部１１の形状も、開口部３１と結合するために円形をなすことが好ましい。
【００３８】
また、排出孔１３を介して排出される液状の内容物を外部に安定的に流れるようにするために、外キャップ１０は、排出孔１３を取り囲み、上面部１２から上方に延設される排出誘導部１８をさらに含むことができる。
【００３９】
図３Ａは、本考案の好ましい実施形態にかかる内キャップの上面図であり、図３Ｂは、図３ＡのＢ−Ｂ断面図および要部拡大図である。
【００４０】
図３Ａおよび図３Ｂを参照すれば、内キャップ２０は、外キャップ１０の内部に結合されるもので、胴体部２１および突出部２３を含む。
【００４１】
胴体部２１は、筒形状を有し、内キャップ２０の胴体を形成する。
【００４２】
突出部２３は、傾斜面２００および出入孔２０１を含むが、傾斜面２００は、胴体部２１の下端部端から上側に中心に向かって延設される。
【００４３】
出入孔２０１は、傾斜面２００の周りに沿って複数個形成される。図３Ａおよび図３Ｂには、三角形状に５個の出入孔２０１が形成されているが、その形状は多様に変化可能であり、その個数も突出部２３の大きさに応じて多様に変化可能である。
【００４４】
実質的に、突出部２３は、截頭円錐形状に形成され、その截頭部２１０は、図示のように閉鎖され、容器を傾けて液状の内容物を排出させる時、内容物がこぼれて排出される現象を防止する。
【００４５】
上述した本考案の好ましい実施形態にかかる栓は、内キャップ２０に複数の出入孔２０１が形成されることにより、容器を傾けて液状の内容物を排出させる時、下部に位置する出入孔２０１を介して内容物が排出されると同時に、上部に位置する出入孔２０１を介しては外部の空気が容器の内部に流入し、内容物のスロッシングが発生せず、これにより、内容物の排出が円滑になるだけでなく、所望するだけの定量を排出することができる。
【００４６】
また、突出部２３を、平面でない截頭円錐（円錐台）形状に形成することにより、出入孔２０１を傾斜面２００に沿ってより広く形成することができ、外部空気の流入がより円滑になり得る。
【００４７】
図４は、本考案の好ましい実施形態にかかる外キャップと内キャップとの結合状態を示す断面図である。
【００４８】
本考案の好ましい実施形態にかかる栓において、外キャップ１０は、第１係止顎１０１をさらに含む。
【００４９】
第１係止顎１０１は、外キャップ１０の側面部１１の内側面から突設される。
【００５０】
この時、内キャップ２０は、内キャップ２０の胴体部２１から外側方向に延設される結合部２６をさらに含み、結合部２６は、胴体部２１の上部から延設されることが好ましい。
【００５１】
内キャップ２０を外キャップ１０の下側方向に一定の大きさ以上の力を加えて押すと、結合部２６は、第１係止顎１０１を越えて、第１係止顎１０１によって生成された溝に挟まれ、その後、突出した第１係止顎１０１によって外部に離脱しない。
【００５２】
内キャップ２０を外キャップ１０に円滑に結合するために、挿入時に第１係止顎１０１と接触する部分が曲面に形成されることが好ましい。
【００５３】
このために、図３Ｂに示されるように、結合部２６は、その下面２６２が上面２６１より外側方向にさらに突出して形成され、上面２６１と下面２６２とは曲面２６３によって連結される。
【００５４】
したがって、結合部２６の端側面は凸曲面に形成され、結合部２６が第１係止顎１０１を滑らかに越えることができ、内キャップ２０を外キャップ１０に円滑に組立てるだけでなく、下面２６２が上面２６１よりさらに外部に突出していて、組立後の離脱が防止できる。
【００５５】
また、外キャップ１０には、以後、容器本体３０の結合のための第２係止顎１０２がさらに形成できる。
【００５６】
第２係止顎１０２は、第１係止顎１０１と同様に、外キャップ１０の側面部１１の内側面から突設されるが、その位置は第１係止顎１０１の下側に形成されることが好ましい。
【００５７】
本考案の好ましい実施形態にかかる栓において、外キャップ１０は、外キャップスカート１２０をさらに含む。
【００５８】
外キャップスカート１２０は、外キャップ１０の上面部１２の下面から下方に延設されるもので、すなわち、排出孔１３と側面部１１との間に形成される。
【００５９】
この時、内キャップ２０は、前記外キャップスカート１２０と密着して内容物の漏液を防止する漏液防止段差部２２０をさらに含む。
【００６０】
漏液防止段差部２２０は、胴体部２１の上面に形成される溝であって、図４に示された「└」「┘」のような、一側面が開放された階段型の形状に形成され、外キャップスカート１２０の外側面が漏液防止段差部２２０の内側面に密着することが好ましい。
【００６１】
しかし、漏液防止段差部２２０は、一側面が開放されていない「└┘」のような形状に形成されても外キャップスカート１２０と密着できるので構わない。
【００６２】
本考案の好ましい実施形態にかかる栓において、内キャップ２０は、前記結合部２６の下面から下方に延設される内キャップスカート２７をさらに含む。
【００６３】
このような内キャップスカート２７は、以後、容器本体３０の開口部３１の内側面に密着して内容物の漏液を防止する。
【００６４】
本考案の好ましい実施形態にかかる外キャップ１０は、切りキャップ４０をさらに含み、前記切りキャップ４０は、密封部材４２および取り外し用つまみ４５を含む。
【００６５】
密封部材４２は、排出孔１３の形状に形成され、前記上面部１２に一体に連結されて前記排出孔１３を閉鎖する。
【００６６】
取り外し用つまみ４５は、使用者が指を挿入して引っ張ることができるように環状に形成され、密封部材４２の上面と一体に連結されることが好ましい。
【００６７】
また、使用者が最初の使用時に切りキャップ４０を容易に除去できるように、密封部材４２と上面部１２との連結部位には三角形状の切り溝４７が形成されることが好ましい。
【００６８】
ただし、切り溝４７の形状は多様に変化可能であり、三角形状に限定されない。
【００６９】
本考案の好ましい実施形態にかかる栓は、蓋５０およびヒンジ部５２をさらに含む。
【００７０】
蓋５０は、外キャップ１０の上部と結合されて外キャップ１０を覆うもので、ワンタッチ形態で開閉されるために内側面から突設される内部顎５５と、使用者が開閉時につかんで蓋５０を開けることができるように外側面から突設される開閉つまみ５１とを含むことが好ましく、これに対応して、前記内部顎５５と係合する係止顎１７が外キャップ１０の上面部１２から上方に突設されていることが好ましい。
【００７１】
また、蓋５０が外キャップ１０と一体に連結され、蓋５０が回動可能に蓋５０と外キャップ１０とを連結するヒンジ部５２が形成されることが好ましい。
【００７２】
しかし、蓋５０は、ヒンジ部５２による一体型でない、螺旋部による締結で外キャップ１０と締結されるように別途に構成されても構わない。
【００７３】
図５は、本考案の好ましい実施形態にかかる容器の結合状態を示す断面図である。
【００７４】
本考案の好ましい実施形態にかかる容器は、開口部３１が形成された容器本体３０と、前記開口部３１に結合される栓とを含む。
【００７５】
容器本体３０は、内部に液状の内容物が収容される内部空間が形成されており、上部には内容物が排出される開口部３１が形成される。
【００７６】
また、容器本体３０は、開口部３１の外側面から突設される突起部３３がさらに形成される。
【００７７】
栓は、排出孔１３が形成された上面部１２、上面部１２の外郭から下方に延設された側面部１１、前記側面部１１の内側面から突設される第１係止顎１０１、および前記側面部１１の内側面から突設され、前記第１係止顎１０１の下側に形成される第２係止顎１０２を含む外キャップ１０と、筒形状の胴体部２１、前記胴体部２１の下端部端から上側に中心に向かって延設される傾斜面２００と前記傾斜面２００の周りに形成された複数の出入孔２０１とを備える突出部２３、および前記胴体部２１から外側方向に延設され、前記第１係止顎１０１に係合される結合部２６を含む内キャップ２０とを備える。
【００７８】
各構成要素の詳細な説明は上述したので、ここでは省略する。
【００７９】
図５を参照すれば、開口部３１を外キャップ１０の下側に一定の大きさの力を加えて挿入すると、開口部３１に形成された突起部３３が第２係止顎１０２を越えて、第１係止顎１０１と第２係止顎１０２との間に形成された溝に挟まれ、その後、突出した第２係止顎１０２によって外部に離脱しなくなる。
【００８０】
これにより、容器本体３０と外キャップ１０とが固定結合される。
【００８１】
本考案の好ましい実施形態にかかる容器において、内キャップ２０は、内キャップスカート２７をさらに含む。
【００８２】
内キャップスカート２７は、前記結合部２６の下面から下方に延設され、開口部３１の内側面と密着する。
【００８３】
図５に示されるように、容器本体３０が外キャップ１０と結合した場合に、内キャップスカート２７が開口部３１の内側面に密着することにより、液状の内容物が外部に漏液することを防止する。
【００８４】
本考案の好ましい実施形態にかかる容器において、結合部２６は、その下面２６２が上面２６１より外側方向にさらに突出して形成され、上面２６１と下面２６２とは曲面２６３によって連結される。
【００８５】
これに関する詳細な説明は上述したので、ここでは省略する。
【００８６】
本考案の好ましい実施形態にかかる容器において、外キャップ１０は、外キャップ１０の上面部１２の下面から下方に延設される外キャップスカート１２０をさらに含む。
【００８７】
この時、内キャップ２０は、前記外キャップスカート１２０と密着して内容物の漏液を防止する漏液防止段差部２２０をさらに含む。
【００８８】
これに関する詳細な説明は上述したので、ここでは省略する。
【００８９】
本考案の好ましい実施形態にかかる容器において、外キャップ１０は、切りキャップ４０をさらに含み、前記切りキャップ４０は、密封部材４２および取り外し用つまみ４５を含む。
【００９０】
これに関する詳細な説明は上述したので、ここでは省略する。
【００９１】
本考案の好ましい実施形態にかかる容器は、蓋５０およびヒンジ部５２をさらに含む。
【００９２】
これに関する詳細な説明は上述したので、ここでは省略する。
【００９３】
本考案の属する技術分野における通常の知識を有する者は、本考案がその技術的思想や必須の特徴を変更しなくても他の具体的な形態で実施可能であることを理解することができる。そのため、以上に記述した実施形態は、あらゆる面で例示的なものであって、限定的ではないと理解しなければならない。本考案の範囲は、上記の詳細な説明よりは後述する実用新案登録請求の範囲によって示され、実用新案登録請求の範囲の意味および範囲、そして、その均等概念から導き出されるすべての変更または変形された形態が本考案の範囲に含まれると解釈されなければならない。
【符号の説明】
【００９４】
１０：外キャップ
１１：側面部
１２：上面部
１３：排出孔
２０：内キャップ
２１：胴体部
２３：突出部
２６：結合部
２７：内キャップスカート
３０：容器本体
３１：開口部
３３：突起部
４０：切りキャップ
４２：密封部材
５０：蓋
５２：ヒンジ部
【図１】
0003184024.tif 000003
【図２Ａ】
0003184024.tif 000004
【図２Ｂ】
0003184024.tif 000005
【図３Ａ】
0003184024.tif 000006
【図３Ｂ】
0003184024.tif 000007
【図４】
0003184024.tif 000008
【図５】
0003184024.tif 000009